(57)【要約】【課題】  ランプの直線管部と湾曲管部をフレームの表示区域内に装着可能で、光源の不均質という現象が発生しないパックライトの照明ユニットを提供する。【解決手段】  フレーム１０と、少なくとも一つのランプ２２と、少なくとも一つの遮蔽ユニット３０を備える。フレーム１０は、表示区域１６及び辺縁区域１８を有し、かつ表示区域１６の周囲に位置付けられる。ランプ２２は少なくとも二つの平行配列される直線管部２４と二つの直線管部２４の一端に連接される湾曲管部２６を有し、かつ二つの直線管部２４と湾曲管部２６を表示区域１６に位置付けるようにフレーム１０に装着される。遮蔽ユニット３０はランプ２２の湾曲管部２６上方へ延伸される上遮蔽部を有し、上遮蔽部は所定の透明度を有することで、少なくとも一部分の湾曲管部２６からの光源を遮蔽する。【選択図】    図３
0003104845.tif 000002
【実用新案登録請求の範囲】
【請求項１】
表示区域及び辺縁区域を有し、かつ表示区域の周囲に位置付けられるフレームと、
少なくとも二つの平行配列される直線管部と二つの直線管部の一端とに連接される湾曲管部とを有し、かつ二つの直線管部と湾曲管部とを表示区域に位置付けるようにフレームに装着される少なくとも一つのランプと、
ランプの湾曲管部上方へ延伸される上遮蔽部を有し、上遮蔽部は所定の透明度を有することで、少なくとも一部分の湾曲管部からの光源を遮蔽する少なくとも一つの遮蔽ユニットと、
を備えることを特徴とするバックライトの照明ユニット。
【請求項２】
遮蔽ユニットは、ランプの湾曲管部と直線管部との間に位置付けられる前遮蔽部を有することを特徴とする請求項１に記載のバックライトの照明ユニット。
【請求項３】
前遮蔽部は、幅が二つの直線管部の間隔より大きく、二つの直線管部を装着するための孔を二つ有し、前遮蔽部は所定の透明度を有することで、少なくとも一部分の湾曲管部からの光源を遮蔽することを特徴とする請求項２に記載のバックライトの照明ユニット。
【請求項４】
前遮蔽部は、前遮蔽部の端縁から二つの孔へ延伸される欠け口を二つ有することを特徴とする請求項３に記載のバックライトの照明ユニット。
【請求項５】
遮蔽ユニットは、ランプの湾曲管部の後方に位置付けられる後遮蔽部を有し、後遮蔽部は所定の透明度を有し、少なくとも一部分の湾曲管部からの光源を遮蔽することを特徴とする請求項１または請求項２に記載のバックライトの照明ユニット。
【請求項６】
遮蔽ユニットは、ランプの湾曲管部の両側に位置付けられる側遮蔽部を二つ有し、二つの側遮蔽部は所定の透明度を有し、少なくとも一部分の湾曲管部からの光源を遮蔽することを特徴とする請求項１または請求項２に記載のバックライトの照明ユニット。
【請求項７】
遮蔽ユニットの上遮蔽部は、一端縁部に少なくとも一つの接続部を有し、フレームの側壁の所定の孔溝中に差し込まれることを特徴とする請求項１に記載のバックライトの照明ユニット。
【請求項８】
遮蔽ユニットの前遮蔽部は、一端縁部に少なくとも一つの接続部を有し、フレームの底板の所定の孔溝中に差し込まれることを特徴とする請求項２に記載のバックライトの照明ユニット。
【考案の詳細な説明】
【技術分野】
【０００１】
本考案は、液晶ディスプレイに関し、特にバックライトの照明ユニットに関するものである。
【背景技術】
【０００２】
周知の液晶ディスプレイは、液晶パネル及びバックライトを有し、バックライトは面光源を均質化させ、液晶パネルに提供することで所定の画面を表示するものである。
【考案の開示】
【考案が解決しようとする課題】
【０００３】
図１に示すように、周知の直下式バックライト１００はフレーム１０２と、三つのＵ形を呈するランプ１０４及び拡散板１０６を備える。ランプ１０４は二つの平行する直線管部１０８及び二つの直線管部１０８に連接される湾曲管部１１０を有する。フレーム１０２は中央に表示区域１１２を有し、周囲に辺縁区域１１４を有する。ランプ１０４の直線管部１０８の大部分は表示区域１１２内に位置付けられ、湾曲管部１１０は辺縁区域１１４内に位置付けられる。
【０００４】
ランプ１０４は湾曲管部１１０の近くに発生する光源輝度が直線管部１０８に発生する光源輝度よりもかなり大きいため、拡散板１０６によりランプ１０４からの光源を拡散し均質な面光源を形成することが困難である。従って、ランプ１０４は表示区域１１２内に位置する直線管部１０８だけで光源を提供し、かつ拡散板１０６の拡散により液晶パネル（図中未表示）に提供するものである。言い換えれば、バックライト１００は表示区域１１２が比較的小さく、辺縁区域の面積が一般的なものより大きいものである。
【０００５】
前述の構造により、Ｕ形ランプの光源が均質ではなかったという問題を解決することは可能であるが、ランプの湾曲管部に発生する光源は完全に使用されることなく、光源の浪費が発生する。かつバックライトは寸法の同じ液晶パネルに適用される場合、比較的長いランプが必要である。
【０００６】
したがって、本考案の主な目的は、ランプの直線管部と湾曲管部をフレームの表示区域内に装着可能で、光源の不均質という現象が発生しないパックライトの照明ユニットを提供することにある。
【０００７】
本考案のもう一つの目的は、比較的大きい表示区域および比較的小さい辺縁区域を有するバックライトの照明ユニットを提供することにある。
【課題を解決するための手段】
【０００８】
上述の目的を達成するために、本考案の請求項に記載のバックライトの照明ユニットは、フレームと、少なくとも一つのランプと、少なくとも一つの遮蔽ユニットを備える。フレームは、表示区域及び辺縁区域を有し、かつ表示区域の周囲に位置付けられる。ランプは少なくとも二つの平行配列される直線管部と二つの直線管部の一端に連接される湾曲管部を有し、かつ二つの直線管部と湾曲管部を表示区域に位置付けるようにフレームに装着される。遮蔽ユニットはランプの湾曲管部上方へ延伸される上遮蔽部を有し、上遮蔽部は所定の透明度を有することで、少なくとも一部分の湾曲管部からの光源を遮蔽する。
【考案を実施するための最良の形態】
【０００９】
以下、本考案の実施例を図面に基づいて説明する。
図２と図３に示すように、本考案の第一実施例によるバックライトの照明ユニット１は下記のものを備える。
フレーム１０は、環状の側壁１２および底板１４を有する。フレーム１０は中央に表示区域１６が形成され、周囲に辺縁区域１８が形成される。
三つのＵ形を呈するランプ２２は、ランプ２２ごとに二つの平行配列される直線管部２４と二つの直線管部２４の一端に連接される湾曲管部２６を有する。またフレーム１０は、ランプ２２の上方に位置し、表示区域１６を遮蔽する拡散板（図中未表示）を有する。
【００１０】
三つの遮蔽ユニット３０は、遮蔽ユニット３０ごとに上遮蔽部３２および二つの接続部３４を有する。遮蔽ユニット３０は接続部３４によりフレーム１０の側壁１２の所定の孔溝２０中に差し込まれることで、ランプ２２の湾曲管部２６の近くに固定され、かつ上遮蔽部２４が各湾曲管部２６の上方へ延伸される。
【００１１】
遮蔽ユニット３０の上遮蔽部３２は、半透明材料から形成され、少なくとも一部分の湾曲管部２６からの光源を遮蔽するものである。それにより、ランプ２２の直線管部２４と湾曲管部２６からの光源輝度を一致させ、ランプ２２の直線管部２４と湾曲管部２６に光の均質な区域を形成するために、ランプ２２は、直線管部２４（電源（図中未表示）に接続される電極端子２８を除く）と湾曲管部２６を表示区域１６中に位置付けるようにフレーム１０に装着される。先行技術により掲示される照明ユニット１００と比較して、本考案の照明ユニット１は比較的大きい表示区域１６および比較的小さい辺縁区域１８を有する。
【００１２】
上遮蔽部３２の透明度が低ければ低いほど、上遮蔽部３２を透過する湾曲管部２６の光線が少なくなると考えられる。上遮蔽部３２の透明度は設計者によって決められる。上遮蔽部３２は、直線管部２４と湾曲管部２６に発生する光源輝度の差異により、不透明に設計することも可能である。また上遮蔽部３２は所定の顔色を有することも可能である。いずれもの目的は、直線管部２４と湾曲管部２６からの光源輝度を均質にすることにある。
【００１３】
図４に示すように、本考案の第二実施例によるバックライトの照明ユニット２の遮蔽ユニット４０は、上遮蔽部４２と、二つの孔４６および二つの欠け口４８を有する前遮蔽部４４と、前遮蔽部４４の底端に位置付けられる二つの接続部５０を有する。
【００１４】
図５に示すように、照明ユニット２は、フレーム５２と、ランプ５４と、五つの遮蔽ユニット４０を備える。ランプ５４は連続湾曲状を呈し、六つの平行配列される直線管部５６および五つの湾曲管部５８を有する。二つの相隣する直線管部５６は、二つの欠け口４８から前遮蔽部４４の孔４６中に差し込まれ、遮蔽ユニット４０は湾曲管部５８に近い所定の位置に移動され、上遮蔽部４２は湾曲管部５８の上方へ延伸される。各遮蔽ユニット４０の接続部５０はフレーム５２の底板６０に予め設けられた孔溝６２中に差し込まれる。
【００１５】
図６と図７に示すように、遮蔽ユニット４０の上遮蔽部４２と前遮蔽部４４はそれぞれ所定の透明度（両者の透明度が同じでも、異なってもよい）を有し、上遮蔽部４２は湾曲管部５８の上向きに放射する光線の一部分を遮蔽し、前遮蔽部４４は湾曲管部５８から直線管部５６の方向に水平放射する光線の一部分を遮断するものである。それにより、ランプ５４からの光源が均質になり、ランプ５４の直線管部５６と湾曲管部５８をフレーム５２の表示区域６４中に装着することが可能であるため、第二実施例による照明ユニット２も比較的大きい表示区域６４および比較的小さい辺縁区域６６を有する。
【００１６】
図８と図９に示すように、本考案の第三実施例による遮蔽ユニット７０は、上遮蔽部７２を有し、上遮蔽部７２の四辺を下へ延伸し前遮蔽部７４と、後遮蔽部７６及び二つの側遮蔽部７８を形成する。前遮蔽部７４は孔８０および欠け口８２を二つ有し、かつその底辺に接続部８４を二つ有する。
【００１７】
図９に示すように、遮蔽ユニット７０もランプ８６の湾曲管部９０を遮蔽するものである。そのうちの上遮蔽部７２は湾曲管部９０の上方に位置付けられ、前遮蔽部７４は湾曲管部９０と直線管部８８の間に位置付けられ、後遮蔽部７６は湾曲管部８６の後側に位置付けられ、二つの側遮蔽部７８は湾曲管部８６の両側に位置付けられる。上遮蔽部７２と、前遮蔽部７４と、後遮蔽部７６および二つの側遮蔽部７８は、所定の透明度を有することで、湾曲管部９０に最適な遮蔽効果を提供することが可能である。
【図面の簡単な説明】
【００１８】
【図１】従来のバックライトの照明ユニットを示す平面図である。
【図２】本考案の第一実施例によるバックライトの照明ユニットを示す分解図である。
【図３】本考案の第一実施例によるバックライトの照明ユニットを示す平面図である。
【図４】本考案の第二実施例によるバックライトの照明ユニットの遮蔽ユニットを示す立体図である。
【図５】本考案の第二実施例によるバックライトの照明ユニットを示す分解立体図である。
【図６】本考案の第二実施例によるバックライトの照明ユニットを示す平面図である。
【図７】本考案の第二実施例によるバックライトの照明ユニットを示す局部断面図である。
【図８】本考案の第三実施例によるバックライトの照明ユニットの遮蔽ユニットを示す立体図である。
【図９】本考案の第三実施例によるバックライトの照明ユニットを示す局部断面図である。
【符号の説明】
【００１９】
１  照明ユニット、２  照明ユニット、１０  フレーム、１２  側壁、１４  底板、１６  表示区域、１８  辺縁区域、２０  孔溝、２２  ランプ、２４  直線管部、２６  湾曲管部、２８  電極端子、３０  遮蔽ユニット、３２  上遮蔽部、３４  接続部、４０  遮蔽ユニット、４２  上遮蔽部、４４  前遮蔽部、４６  孔、４８  欠け口、５０  接続部、５２  フレーム、５４  ランプ、５６  直線管部、５８  湾曲管部、６０  底板、６２  孔溝、６４  表示区域、６６  辺縁区域、７０  遮蔽ユニット、７２  上遮蔽部、７４  前遮蔽部、７６  後遮蔽部、７８  側遮蔽部、８０  孔、８２  欠け口、８４  接続部、８６  ランプ、８８  直線管部、９０  湾曲管部、１００  バックライト、１０２  フレーム、１０４  ランプ、１０６  拡散板、１０８  直線管部、１１２  表示区域、１１４  辺縁区域
【図１】
0003104845.tif 000003
【図２】
0003104845.tif 000004
【図３】
0003104845.tif 000005
【図４】
0003104845.tif 000006
【図５】
0003104845.tif 000007
【図６】
0003104845.tif 000008
【図７】
0003104845.tif 000009
【図８】
0003104845.tif 000010
【図９】
0003104845.tif 000011